(57)【要約】【課題】一台のリモートコントローラで複数台のＬＥＤ照明器具の明るさ、色調を個別に独立して制御可能なシステムを提案すること。【解決手段】ＬＥＤ照明システム１は、複数台のＬＥＤ照明器具３と一台のＬＥＤリモートコントローラ５を備えている。各ＬＥＤ照明器具３のランプＩＤ記憶部４６には固有のランプＩＤが記憶保持されている。ＬＥＤリモートコントローラ５のランプＩＤ入力操操作部５３の押しボタンを押すと、対応するランプＩＤを含む制御信号が屋内電力線７を経由して出力される。ＬＥＤ照明器具３の制御部４３では、ランプＩＤ記憶部４６のランプＩＤに一致するランプＩＤを含む制御信号のみを取り込み、当該制御信号に基づき、明るさ、色調を制御する。【選択図】図３
2010157454.tif 000002
【特許請求の範囲】
【請求項１】
第１の色で発光する第１ＬＥＤおよび第２の色で発光する第２ＬＥＤを備えたＬＥＤランプと、
ランプＩＤを記憶保持しているＩＤ記憶部と、
外部から供給される制御信号に、前記ＩＤ記憶部に記憶保持されている前記ランプＩＤが含まれている場合に、当該制御信号に基づき、前記第１、第２ＬＥＤの輝度を制御して、前記ＬＥＤランプの照明光の明るさ、および色調を調整する調光・調色部と
を有していることを特徴とするＬＥＤ照明器具。
【請求項２】
請求項１に記載のＬＥＤ照明器具において、
前記ＩＤ記憶部は書き換え可能な記憶部であり、
外部から供給される制御信号に、前記ＩＤ記憶部に記憶保持されている前記ランプＩＤおよびランプＩＤ書き換え指令が含まれている場合に、前記ＩＤ記憶部を、当該制御信号に含まれている新たなランプＩＤに書き換えるＩＤ更新部を有していることを特徴とするＬＥＤ照明器具。
【請求項３】
請求項１または２に記載のＬＥＤ照明器具において、
前記ＬＥＤランプは、第３の色で発光する第３ＬＥＤを備えており、
前記第１の色は赤色であり、前記第２の色は緑色であり、前記第３の色は青色であることを特徴とするＬＥＤ照明器具。
【請求項４】
請求項１ないし３のうちのいずれかの項に記載のＬＥＤ照明器具において、
前記制御信号は電力線搬送方式によって供給される制御信号であることを特徴とするＬＥＤ照明器具。
【請求項５】
請求項１ないし４のうちのいずれかの項に記載のＬＥＤ照明器具を遠隔制御するための制御信号を出力するＬＥＤリモートコントローラであって、
前記ランプＩＤを入力するためのＩＤ入力操作部と、
前記ＬＥＤランプの照明光の明るさ、および色調を入力するための調光・調色入力操作部と、
入力された前記ランプＩＤ、調光値および調色値を表すデジタル形態あるいはアナログ形態の前記制御信号を生成して出力する制御信号送信部とを有していることを特徴とするＬＥＤリモートコントローラ。
【請求項６】
請求項５に記載のＬＥＤリモートコントローラにおいて、
前記ＩＤ入力操作部は、前記ＬＥＤランプに付与されている前記ランプＩＤの書き換え指示を入力するための操作部を備えており、
前記制御信号送信部は、前記書き換え指示が入力されると、ランプＩＤ書き換え指令を含む前記制御信号を生成して出力することを特徴とするＬＥＤリモートコントローラ。
【請求項７】
請求項５または６に記載のＬＥＤリモートコントローラにおいて、
複数の前記ＬＥＤ照明器具の前記ＬＥＤランプに付与されているランプＩＤを記憶保持している記憶部と、
記憶保持されている前記ランプＩＤを画面表示する表示部とを有しており、
前記ＩＤ入力操作部は、表示されたランプＩＤの一つを画面上で選択するものであることを特徴とするＬＥＤリモートコントローラ。
【請求項８】
請求項５ないし７のうちのいずれかの項に記載のＬＥＤリモートコントローラにおいて、
前記制御信号送信部は電力線搬送方式により前記制御信号を出力することを特徴とするＬＥＤリモートコントローラ。
【請求項９】
請求項１ないし４のうちのいずれかの項に記載の複数台のＬＥＤ照明器具と、
請求項５ないし８のうちのいずれかの項に記載の少なくとも一台のＬＥＤリモートコントローラとを有していることを特徴とするＬＥＤ照明システム。
【発明の詳細な説明】
【技術分野】
【０００１】
本発明は、遠隔操作による調光・調色機能を備えたＬＥＤ照明器具に関するものであり、特に、複数個所に設定されているＬＥＤ照明器具を一台のＬＥＤリモートコントローラによって調光・調色などの制御を行うことのできるＬＥＤ照明器具に関する。
【背景技術】
【０００２】
近年、蛍光ランプなどの代わりに、寿命の長いＬＥＤランプが普及し始めている。ＬＥＤランプでは、赤、緑、青の３原色でそれぞれ発光する３種類のＬＥＤがランプ管内に配置されており、各色のＬＥＤの輝度を個別に調整することにより、ランプ照明光の明るさ、色調を調整でき、任意の明るさ、および色の照明光を得ることができる。このようなＬＥＤ照明器具は特許文献１に開示されている。
【０００３】
この特許文献１に開示の照明装置では、ランプ口金の部分に可変抵抗の操作つまみが配置されており、各操作つまみを操作することによって各色のＬＥＤの輝度を個別に制御でき、これによって、任意の明るさ、および色の照明光を得ることができる。
【特許文献１】特開２００５−２２２７５０号公報
【発明の開示】
【発明が解決しようとする課題】
【０００４】
ここで、ＬＥＤ照明器具も、他の照明器具と同様に天井などの手の届かない所に設置される場合が多い。したがって、リモートコントローラを用いて遠隔制御できることが望ましい。
【０００５】
この場合、複数のＬＥＤ照明器具が設置されている場合には、一台のリモートコントローラから送信した制御信号を受信可能な範囲にあるＬＥＤ照明器具が同時に制御されてしまう。個別に制御を行う場合には、各ＬＥＤ照明器具に対して一台ずつリモートコントローラを割り当てておく必要がある。
【０００６】
ＬＥＤ照明器具の場合には、そのオンオフおよび照明光の明るさの制御だけでなく、色調も調整可能であるので、オンオフと明るさのみを制御可能な一般の照明器具に比べて、個別に制御を行いたい場合が多い。
【０００７】
本発明の課題は、このような点に鑑みて、一台のリモートコントローラを用いて複数台のＬＥＤ照明器具の明るさ、色調を個別に独立して制御できるようにしたＬＥＤ照明器具を提案することにある。
【課題を解決するための手段】
【０００８】
上記の課題を解決するために、本発明のＬＥＤ照明器具は、
第１の色で発光する第１ＬＥＤおよび第２の色で発光する第２ＬＥＤを備えたＬＥＤランプと、
ランプＩＤを記憶保持しているＩＤ記憶部と、
外部から供給される制御信号に、前記ＩＤ記憶部に記憶保持されている前記ランプＩＤが含まれている場合に、当該制御信号に基づき、前記第１、第２ＬＥＤの輝度を制御して、前記ＬＥＤランプの照明光の光量および色を調整する調光・調色部とを有していることを特徴としている。
【０００９】
本発明のＬＥＤ照明器具にはそれぞれランプＩＤが割り当てられている。したがって、リモートコンローラによる制御信号にランプＩＤを表す情報を含めておき、制御信号に含まれているランプＩＤが一致した場合にのみ当該制御信号を有効とすれば、各ＬＥＤ照明器具を一台のリモートコントローラによって個別に独立して制御することができる。
【００１０】
ここで、前記ＩＤ記憶部を書き換え可能な記憶部としておき、外部から供給される制御信号に、前記ＩＤ記憶部に記憶保持されている前記ランプＩＤおよびランプＩＤ書き換え指令が含まれている場合に、前記ＩＤ記憶部を、当該制御信号に含まれている新たなランプＩＤに書き換えるＩＤ更新部を有していることが望ましい。
【００１１】
例えば、ＬＥＤ照明器具の出荷時あるいは設置時に、ＩＤ記憶部に対して、専用のランプＩＤ書き込み装置を用いて初期ランプＩＤを書き込んでおく。住宅などの建物に設置した後においては、ユーザの希望に応じて任意のランプＩＤを各ＬＥＤ照明器具に対して割り当てることができるので便利である。
【００１２】
また、任意の照明光を得るためには、前記ＬＥＤランプとして、前記第１の色である赤色で発光する複数個の前記第１ＬＥＤと、前記第２の色である緑色で発光する複数個の前記第２ＬＥＤと、第３の色である青色で発光する複数個の第３ＬＥＤとを備えたものを用いればよい。勿論、これ以外の色で発光するＬＥＤを用いることも可能である。
【００１３】
さらに、前記制御信号としては、一般的に採用されている赤外線による制御信号を用いることもできるが、電力線搬送方式による制御信号を利用してもよい。
【００１４】
次に、本発明は、上記構成のＬＥＤ照明器具を遠隔制御するための制御信号を出力するＬＥＤリモートコントローラであって、
前記ランプＩＤを入力するためのＩＤ入力操作部と、
前記ＬＥＤランプの照明光の光量および色を入力するための調光・調色入力操作部と、
入力された前記ランプＩＤ、調光値および調色値を表すデジタル形態あるいはアナログ形態の前記制御信号を生成して、出力する制御信号送信部とを有していることを特徴としている。
【００１５】
ＩＤ入力操作部としては、アルファベッドキー、テンキーなどを備えた構成の操作部を用いることができ、調光・調色入力操作部としては、可変ボリューム用のスライド式のつまみなどを用いることができる。
【００１６】
ここで、各ＬＥＤ照明器具に割り当てられているランプＩＤをユーザが任意のランプＩＤに書き換えることができるようにするためには、前記ＩＤ入力操作部に、前記ＬＥＤランプに付与されている前記ランプＩＤの書き換え指示を入力するための操作部を配置しておき、前記制御信号送信部は、前記書き換え指示が入力されると、ランプＩＤ書き換え指令を含む前記制御信号を生成して出力するように構成すればよい。
【００１７】
また、ランプＩＤはアルファベット、数字、あるいは、これらの組み合わせとすることができるが、ランプＩＤの入力を簡単に行うことができるようにするためには、複数の前記ＬＥＤ照明装置の前記ＬＥＤランプに付与されているランプＩＤを記憶保持している記憶部と、記憶保持されている前記ランプＩＤを画面表示する表示部とを配置し、前記ＩＤ入力操作部は、表示されたランプＩＤの一つを画面上で選択する構成とすることが望ましい。また、このような記憶部を備えている場合には、各ランプＩＤをグループ分けして場所毎に管理することも可能になる。
【００１８】
さらに、ＬＥＤリモートコントローラに、一般家庭用コンセントなどの差し込み可能な差し込み部を配置して、前記制御信号送信部が電力線搬送方式により前記制御信号を出力するように構成することができる。
【００１９】
電力線搬送方式を採用すると、同一トランス内においては何れの場所に設定されているＬＥＤ照明器具であっても調光・調色ができる。よって、光通信式のリモートコンローラとは異なり、住宅などにおいて壁によって仕切られている離れた部屋などの消し忘れのＬＥＤ照明器具を別の部屋から遠隔操作して消すことができる。また、個別のランプＩＤが設定されているので、複数の住戸が同一トランス内にあったとしても、自宅以外のＬＥＤ照明器具に影響が及ぶことがない。さらには、一般家庭用コンセントのＬＥＤリモートコントローラを差し込むだけで、各ＬＥＤ照明器具に対して制御信号を送ることができるので、一般の有線式のリモートコントローラとは異なり、制御信号を送るために専用の配線を必要としない。
【００２０】
一方、本発明はＬＥＤ照明システムに関するものであり、上記構成の複数台のＬＥＤ照明器具と、上記構成の少なくとも一台のＬＥＤリモートコントローラとを備えていることを特徴としている。
【発明の効果】
【００２１】
本発明によれば、各ＬＥＤ照明器具にランプＩＤを付与しているので、一台のＬＥＤリモートコントローラによって各ＬＥＤ照明器具を個別に独立して調光・調色できる。
【発明を実施するための最良の形態】
【００２２】
以下に、図面を参照して、本発明を適用したＬＥＤ照明システムの実施の形態を説明する。
【００２３】
図１は住宅内に設置したＬＥＤ照明システムの例を示す説明図である。ＬＥＤ照明システム１は、住宅内の各部屋の天井などに設置されている複数台のＬＥＤ照明器具３（３（１）、３（２）、３（３）・・・）と、一台のＬＥＤリモートコントローラ５とを備えている。各ＬＥＤ照明器具３は住宅内に引き込まれた商用の屋内電力線７から電力が供給される。ＬＥＤリモートコントローラ５は電力線搬送方式により制御信号を各ＬＥＤ照明器具３に搬送するものであり、住宅内の壁面などに設置されている一般家庭用コンセント９の差し込み口に差し込み可能な一対の差し込み端子板（図示せず）を備えている。
【００２４】
ここで、ＬＥＤ照明器具３（１）〜３（３）は例えばキッチンに設置されており、グループＡに分類されている。ＬＥＤ照明器具３（４）〜３（６）は例えばダイニングに設置されており、グループＢに分類されている。ＬＥＤ照明器具３（７）〜３（９）は例えば寝室に設置されており、グループＣに分類されている。
【００２５】
図２（ａ）はＬＥＤ照明器具３を示す側面であり、図２（ｂ）はＬＥＤリモートコントローラ５を示す正面図である。ＬＥＤ照明器具３では、一般の白熱電球などと同一規格のソケットにねじ込み可能な口金部分３１と、この口金部分３１の先に同軸状態に形成されている一回り大きな円筒状の放熱部分３３と、放熱部分３３の先に取り付けた略球状の拡散ガラスからなるランプカバー３５と、このランプカバー３５によって覆われている複数個のＬＥＤ（図示せず）とによって、ＬＥＤランプ３０が構成されている。放熱部分３３の内部には、複数個のＬＥＤが搭載された制御基板（図示せず）が配置されており、制御基板にはＬＥＤ駆動制御回路が搭載されている。例えば、ＬＥＤ基板には、赤色光を発する複数個の赤色ＬＥＤと、緑色光を発する複数個の緑色ＬＥＤと、青色光を発する複数個の青色ＬＥＤとが配列されている。
【００２６】
ＬＥＤリモートコントローラ５は、偏平な矩形のケース５１と、このケース５１の表面に配置された４個のスライドつまみ５２、５Ｒ、５Ｇ、５Ｂ（調光・調色入力操作部）と、ケース５１の下側の部位に配置されたランプＩＤ入力操作部５３とを備えている。スライドつまみ５２は光量調整つまみであり、５Ｒ、５Ｇ、５Ｂはそれぞれ赤色発光ＬＥＤの輝度調整つまみ、緑色発光ＬＥＤの輝度調整つまみ、および青色発光ＬＥＤの輝度調整つまみである。ランプＩＤ入力操作部５３は、例えば、複数個の押しボタン５３Ａ、５３Ｂ、５３Ｃ・・・を備えている。例えば、押しボタン５３ＡはグルームＡ（キッチン）に対応付けされたボタンであり、押しボタン５３ＢはグループＢ（ダイニング）に対応付けされたボタンであり、押しボタン５３ＣはグループＣ（寝室）に対応付けされたボタンである。
【００２７】
図３はＬＥＤ照明システム１の制御系を示す概略ブロック図である。各ＬＥＤ照明器具３のＬＥＤ駆動制御回路４０は、ＡＣ／ＤＣコンバータ４１と、定電流制御回路４２Ｒ、４２Ｇ、４２Ｂと、ＣＰＵを中心として構成された制御部４３と、制御信号の受信部として機能するフィルタ部および信号復調回路４４とを備えている。ＡＣ／ＤＣコンバータ４１は、屋内電力線７から供給される商用電力を整流して一定電圧の直流電流に変換する。電圧値はＬＥＤの順方向電圧の和により決定される。定電流制御回路４２Ｒ、４２Ｇ、４２Ｂは、各色のＬＥＤ４５Ｒ、４５Ｇ、４５Ｂに、それぞれ一定の直流電流を供給する部分であり、電流制御方式としては例えばＰＷＭ制御方式を採用することができる。制御部４３はランプＩＤ記憶部４６として書き換え可能な不揮発性メモリ、例えばＥＥＰＲＯＭを備えている。このランプＩＤ記憶部４６には、ＬＥＤ照明器具３を識別するためのランプＩＤが設定されている。
【００２８】
ＬＥＤリモートコントローラ５の制御回路６０は、ＣＰＵを中心として構成されている制御部６１と制御信号送信部６２を備えており、制御部６１は不揮発性メモリからなる記憶部６３を備えており、制御部６１の入力側には入力操作部６４（調光・調色入力操作部、ランプＩＤ入力操作部）が接続されている。記憶部６３には、各ＬＥＤ照明器具３のランプＩＤが記憶保持される。
【００２９】
この構成のＬＥＤ照明システム１においては、予め、出荷時などにおいて、各ＬＥＤ照明器具３にランプＩＤがそれぞれ設定される。また、住宅などに設置された後においては、ＬＥＤリモートコントローラ５の記憶部６３に、各ランプＩＤと、ランプＩＤ入力操作部５３の各押しボタン５３Ａ、５３Ｂ、５３Ｃ・・・との対応関係が設定される。例えば、ＬＥＤ照明器具３（１）〜３（３）の各ランプＩＤはグループＡ（キッチン）に分類され、グループＡが押しボタン５３Ａに対応付けされる。また、ＬＥＤ照明器具３（４）〜３（６）の各ランプＩＤはグループＢ（ダイニング）に対応付けされ、グループＢが押しボタン５３Ｂに対応付けされ、同様に、ＬＥＤ照明器具４（７）〜３（９）の各ランプＩＤがグループＣ（寝室）に対応付けされる。
【００３０】
これにより、ＬＥＤリモートコントローラ５の制御部６１は、押しボタン５３Ａが押されると、グループＡに属している各ランプＩＤを含む制御信号を生成して出力し、押しボタン５３Ｂが押されるとグループＢに属している各ランプＩＤを含む制御信号を生成して出力し、押しボタン５３Ｃが押されるとグループＣに属する各ランプＩＤを含む制御信号を生成して出力する。
【００３１】
また、制御信号には、スライドつまみ５２によって指定される光量調整コマンド、スライドつまみ５Ｒ、５Ｇ、５Ｂによってそれぞれ指定される輝度調整コマンドが含まれる。なお、本例では説明を簡単にするために省略したが、ＬＥＤリモートコントローラ５には各ＬＥＤ照明器具３をオンオフするためのオンオフ操作入力部が配置されており、オンオフコマンドも送られるようになっている。
【００３２】
（制御動作）
このように設定されているＬＥＤリモートコントローラ５をコンセント９に差し込み、スライドつまみ５２、５Ｒ、５Ｇ、５Ｂを操作し、しかる後に、押しボタン５３Ａ、５３Ｂ、５３Ｃ・・・のいずれか一つを操作すると、制御信号が発生して、屋内電力線７を経由して各ＬＥＤ照明器具３に向けて送り出される。
【００３３】
各ＬＥＤ照明器具３では、制御信号が、フィルタ部および信号復調回路４４を介して制御部４３に供給される。制御部４３は、供給された制御信号に含まれているコマンドを解析し、そこに含まれているランプＩＤが、ランプＩＤ記憶部４６に記憶保持されているランプＩＤに一致するか否かを判別する。一致していない場合には制御信号を無効とする。一致する場合には、当該制御信号に含まれている調光コマンド、調色コマンドに基づき、定電流制御回路４２Ｒ、４２Ｇ、４２Ｂを制御して、各色のＬＥＤ４５Ｒ、４５Ｇ、４５Ｂの輝度を調整して、指定された明るさ、および、色調の照明光を形成する。
【００３４】
このようにして、一台のＬＥＤリモートコントローラ５を用いて別の場所に設置されているＬＥＤ照明器具３の明るさ、色調をグループ毎に個別に独立して制御することができる。
【００３５】
（その他の実施の形態）
上記の例では、グループ毎にＬＥＤ照明器具３を制御できるようにしている。勿論、ＬＥＤ照明器具３を一台ずつ個別に独立して制御してもよい。この場合には、ＬＥＤリモートコントローラ５に、アルファベットキー、テンキーなどを配置しておき、各ＬＥＤ照明器具３に割り当てられているランプＩＤを直接に入力して、制御対象のＬＥＤ照明器具３を特定すればよい。
【００３６】
また、ＬＥＤリモートコントローラ５に液晶表示器などの表示部を配置しておき、記憶部に記憶保持されている各場所に設置されているＬＥＤ照明器具３のランプＩＤを一覧表示させ、表示画面上においてランプＩＤを選択することにより、ランプＩＤを入力できるようにしてもよい。また、この場合には、ランプＩＤと、設置場所、グループの対応関係も一緒に表示してもよい。
【００３７】
さらに、上記の例では、ランプＩＤが予め設定されているが、ランプＩＤをユーザが任意に設定あるいは変更できるようにしてもよい。この場合には、ＬＥＤリモートコントローラの操作部に、表示画面、アルファベットキー、テンキーと共に、ランプＩＤ設定キー、書き換えキー（書き換え操作入力部）などを配置しておけばよい。
【００３８】
なお、上記の例は電力線搬送方式による遠隔制御の例であるが、これ以外の遠隔制御方式、例えば、赤外線方式などの光学方式を採用することも勿論可能である。
【図面の簡単な説明】
【００３９】
【図１】本発明を適用したＬＥＤ照明システムの全体構成図である。
【図２】ＬＥＤ照明器具を示す側面図およびＬＥＤリモートコントローラを示す正面図である。
【図３】ＬＥＤ照明システムの制御系を示す概略ブロック図である。
【符号の説明】
【００４０】
１    ＬＥＤ照明システム
３    ＬＥＤ照明器具
５    ＬＥＤリモートコントローラ
７    屋内電力線
９    コンセント
３０  ＬＥＤランプ
３１  口金部分
３３  放熱部分
３５  ランプカバー
４１  ＡＣ／ＤＣコンバータ
４２Ｒ、４２Ｇ、４２Ｂ  定電流制御回路
４３  制御部
４４  フィルタ部および信号復調回路
４５Ｒ、４５Ｇ、４５Ｂ  ＬＥＤ
４６  ランプＩＤ記憶部
５１  ケース
５２  光量調整つまみ
５Ｒ、５Ｇ、５Ｂ  輝度調整つまみ
５３Ａ、５３Ｂ、５３Ｃ  押しボタン
６０  制御回路
６１  制御部
６２  制御信号送信部
６３  記憶部
６４  入力操作部
【図１】
2010157454.tif 000003
【図２】
2010157454.tif 000004
【図３】
2010157454.tif 000005